(57)【要約】【課題】  テレビ受信機等の外部画像表示装置の画面のアスペクト比にあった一覧表示画面を表示可能とすると共に、指定期間を代表する画像を所定の評価基準により所定数自動選択してこの一覧表示画面に表示可能とする画像表示制御装置及びプログラムの提供【解決手段】  電子アルバム装置１は大容量の保存メモリを備え、接続されたデジタルカメラ１００やパソコン等の外部画像記録装置から取り込んだ画像データを記録しており、テレビ受信装置２００に接続されると、その画面のアスペクト比を取得し、ユーザが指定した期間内の代表画像を所定の評価基準により抽出して、接続されているテレビ受信装置２００の画面のアスペクト比にあった表示可能数生成してテレビ受信装置２００に送信して一覧表示させる。また、選択された画像を保存メモリから取り出して再生し、その画面サイズにあうように拡大して送信し、表示させる。【選択図】  図１
2006253984.tif 000002
【特許請求の範囲】
【請求項１】
保存メモリに記録されている画像データを再生して外部画像表示装置に表示させる画像表示制御装置であって、
前記外部画像表示装置の表示モードを取得する表示モード取得手段と、
前記保存メモリに記録されている複数の画像データのうち、前記表示モード取得手段によって取得された表示モードによって決定される表示可能数の画像の画像データを取り出して所定サイズの画像を生成する画像生成手段と、
前記画像再生手段によって生成された画像を前記外部画像表示装置に送信し、該外部画像表示装置に表示させる表示制御手段と、
を備えたことを特徴とする画像表示制御装置。
【請求項２】
保存メモリに記録されている画像データを再生して外部画像表示装置に表示させる画像表示制御装置であって、
前記保存メモリに記録されている各画像データにそれぞれ対応付けられて該保存メモリに記録されている画像評価データと、
前記外部画像表示装置との接続時に、該外部画像表示装置の表示モードを取得する表示モード取得手段と、
画像を外部画像表示装置に一覧表示する際に、表示対象とする画像が前記表示モード取得手段によって取得された表示モードによって決定される表示可能数以上ある場合に、前記各画像データ毎の評価データに基いて表示対象とする各画像の画像評価値を取得する画像評価値取得手段と、
前記画像評価値取得手段によって取得された画像評価値の高い順に前記保存メモリから前記表示可能数の画像の画像データを取得する画像データ取得手段と、
前記画像データ取得手段によって取得された画像データから所定サイズの画像を生成する画像生成手段と、
前記画像生成手段によって生成された前記表示可能数の画像を前記外部画像表示装置に送信し、該外部画像表示装置に表示されている一覧表示画面上に撮影日時順に表示させる表示制御手段と、
を備えたことを特徴とする画像表示制御装置。
【請求項３】
前記表示モード取得手段は、前記外部画像表示装置との接続時に該外部画像表示装置から送られる信号を基に一覧表示画面の表示モードを判定する手段を含むことを特徴とする請求項１または２記載の画像表示制御装置。
【請求項４】
前記表示モード取得手段は、表示モードデータを入力する手段を含むことを特徴とする請求項１または２記載の画像表示制御装置。
【請求項５】
前記表示モードは、前記外部画像表示装置の画面のアスペクト比によって決定され、前記表示制御手段は、前記アスペクト比に対応するサイズの一覧表示画面データを前記外部画像表示装置に送信する手段を備えたこと、を特徴とする請求項１または２記載の画像表示制御装置。
【請求項６】
複数の表示期間レベルのうちの任意のレベルを指定するレベル指定手段を備え、
前記表示制御手段は、前記レベル指定手段によって指定された表示期間レベルに応じた一覧表示画面を前記外部画像表示装置に表示させる手段を備えたことを特徴とする請求項１または２記載の画像表示制御装置。
【請求項７】
前記表示期間レベルは、日単位、月単位、年単位、年代単位の期間レベルからなることを特徴とする請求項６に記載の画像表示制御装置。
【請求項８】
前記対象期間は前記指定された表示期間レベル内で複数選択され、前記表示制御手段は、前記選択された各対象期間を縦軸方向とし、該対象期間内で生成された前記表示可能数の画像を横軸方向にとって前記画像表示装置に一覧表示させる手段を含むことを特徴とする請求項６または７に記載の画像表示制御装置。
【請求項９】
前記外部画像表示装置はテレビ受信装置であることを特徴とする請求項１乃至８のいずれか１項に記載の画像表示装置。
【請求項１０】
前記評価データは、各画像毎に複数設定され、所定の評価基準によって各画像の画像評価値算出データとして数値化されてなることを特徴とする請求項１乃至６のいずれか１項に記載の画像表示制御装置。
【請求項１１】
前記評価データは、該当する画像毎にユーザが設定した付加データに基づいて算出されることを特徴とする請求項１乃至８のいずれか１項に記載の画像表示制御装置。
【請求項１２】
前記評価データは、各画像の撮影日時から隣り合う画像間での撮影間隔に基づいて得られる撮影間隔データに基づいて算出されるデータを含むことを特徴とする請求項１乃至８のいずれか１項に記載の画像表示制御装置。
【請求項１３】
前記評価データは、記録画像に対するユーザの閲覧履歴データに基づいて算出するデータを含むことを特徴とする請求項１乃至８のいずれか１項に記載に画像表示制御装置。
【請求項１４】
前記閲覧履歴データは前記外部画像表示装置に表示される一覧表示画面から選択される画像の視聴時間の累積時間を含むことを特徴とする請求項１３に記載の画像表示制御装置。
【請求項１５】
前記閲覧履歴データは、前記外部画像表示装置に表示される一覧表示画面から選択される画像の視聴回数を含むことを特徴とする請求項１３に記載の画像表示制御装置。
【請求項１６】
保存メモリに記録されている画像データを再生して外部画像表示装置に表示させる画像表示制御装置のコンピュータに、前記外部画像表示装置との間でデータの送受信を制御する機能と、前記外部画像表示装置の表示モードを取得する機能と、前記保存メモリに記録されている複数の画像データのうち、取得した表示モードによって決定される表示可能数の画像の画像データを取り出して所定サイズの画像を生成する機能と、生成した画像を前記外部画像表示装置に送信し、該外部画像表示装置に表示させる機能と、を実行させるプログラム。
【請求項１７】
保存メモリに記録されている画像データを再生して外部画像表示装置に表示させる画像表示制御装置のコンピュータに、前記外部画像表示装置との間でデータを送受信を制御する機能と、前記外部画像表示装置との接続時に、該外部画像表示装置の表示モードを取得する機能と、画像を外部画像表示装置に一覧表示する際に表示対象とする画像が取得した表示モードによって決定される表示可能数以上ある場合に、各画像データ毎の評価データに基いて表示対象とする各画像の画像評価値を取得する機能と、取得した画像評価値の高い順に前記保存メモリから前記表示可能数の画像の画像データを取得する機能と、取得した画像データから所定サイズの画像を生成する画像生成手段と、生成した前記表示可能数の画像を前記外部画像表示装置に送信し、該外部画像表示装置に表示されている一覧表示画面上に撮影日時順に表示させる機能と、を実行させるプログラム。
【発明の詳細な説明】
【技術分野】
【０００１】
本発明は、複数の画像を記憶し、一覧表示される選択画像の中から所望の画像を選択可能として選択された画像を再生表示させる画像表示制御装置に関する。
【背景技術】
【０００２】
複数の画像を記録媒体に記録・管理し、所望の時期に再生して表示するいわゆる電子アルバム装置がある。このような電子アルバム装置は従来ＶＴＲなどと同様に映像ケーブル等を介してテレビ受信装置に接続され、その画面に再生画像を表示するが、電子アルバム装置がケーブルを介してテレビ受信装置に接続されているとき、電子アルバム装置を起動するとテレビ画面に再生画像を自動表示可能な機能を備えたものがある（例えば、特許文献１参照）。
【０００３】
一方、テレビ受信装置の画面（以下、テレビ画面）においてはアスペクト比が４：３のもののほかアスペクト比が１６：９のいわゆるワイド画面が普及しているが、デジタルカメラやカメラ付き携帯電話においては４：３のアスペクト比が主流である。これは、撮像素子がワイド画面に対応していないので、表示だけワイド化してもあまり意味がないからであった。
【０００４】
そこで、デジタルカメラやカメラ付携帯電話で撮影した画像を一旦電子アルバム装置に記録しておき、家庭に広く普及しているテレビ受信装置に電子アルバム装置を接続して電子アルバム装置から所望の画像を送って表示するようにすれば電子アルバム装置側で表示装置を備えなくてもよく、ユーザはデジタルカメラ等で撮影した画像をデジタルカメラより画面サイズの大きいテレビ画面に拡大画像をアルバムをめくる間隔で表示でき、好適である。
【０００５】
また、記録媒体に記録されている画像のうち所望の画像を再生するには、記録媒体に記録された複数のコマ画像の内容を確認することが必要となるが、そのために、コマ画像のサムネイル画像をディスプレイにインデックス表示し、コマインデックス画面をスクロールさせながら全コマの確認を行ってコマ画像を検索する画像表示方法が知られているが、大容量化された記録媒体に記録されている数千コマの画像を検索するには不適切であるため、コマインデックス画面を表示する前に、撮影時期を絞り込み条件としてコマインデックス画面に含まれるコマを絞り込むようにした画像表示装置が提案されている（たとえば、特許文献２参照）。同特許文献には、撮影時期の指定は、指定期間選択画面（年、月、日）内において、当該指定期間より下位のレベルの期間（指定期間が年なら「月」、「月」なら日）で分類した単位エリア内で代表コマ（サムネイル画像）１枚を表示して指定（選択）を促し（この際、代表コマは順次切り替えられてスライドショー表示される）、所望のコマを指定することによって行う旨が開示されている。また、代表コマは、先頭画面、後尾画面、若しくは任意設定可能であり、更に各グループの画像ボリューム（記録枚数）を表示する旨が開示されている。
【特許文献１】特開２０００−３５０１３１号公報
【特許文献２】特開２００４−２９７１７６号公報
【発明の開示】
【発明が解決しようとする課題】
【０００６】
しかしながら、テレビ受信装置に電子アルバム装置を接続して電子アルバム装置に記録されている画像を再生して表示する際、上記特許文献１に開示の技術では画面に再生画像を自動表示することができるが、テレビ受信機の画面のアスペクト比等を知ることができないことから、サムネイル画像のような縮小画像を一覧表示しようとしても画面の大きさにあった表示可能数を決定できないので、アスペクト比が４：３のテレビ画面にあわせた一覧表示画面データ（映像データ）をテレビ側に送るようにすると、アスペクト比が１６：９のワイド画面のテレビ受信装置では一覧表示画面の大きさがあわず、テレビ画面上に表示する一覧表示画面のバランスを欠くと共に表示領域を有効に活用できないといった課題があり、画面のスペクト比が１６：９のテレビ画面にあわせた一覧表示画面データ（映像データ）をテレビ受信装置側に送るように構成すると、アスペクト比が４：３のワイド画面のテレビ受信装置では一覧表示画面が大きさすぎて一覧表示画面の一部または全部が表示されないといった課題があった。また、後者の場合、一覧表示画面を縮小して表示するにしても、電子アルバム側でテレビ画面のアスペクト比を知ることができないので一覧表示画面を画面の大きさに合うように縮小表示できないし、仮に縮小表示できたとしても一覧表示画面に表示される縮小画像がさらに縮小されることとなって、見難くなってしまうという課題があった。
【０００７】
また、上記特許文献２に記載の技術では、グループ単位で表示される１つの代表コマは、順次期間ごとに切り換え指定されるか、代表画像として最適な画像が自動的に選択されて表示されているわけではなく、先頭、後尾、若しくは任意設定のコマ画像のみに限定されているので、表示されている代表コマがその単位グループの代表コマとしてふさわしいコマ画像とは限らないといった課題があった。  
【０００８】
本発明は上記課題を解決することためになされたものであり、テレビ受信機等の外部画像表示装置の画面のアスペクト比にあった一覧表示画面を表示可能とすると共に、指定期間を代表する画像を所定の評価基準により所定数自動選択してこの一覧表示画面に表示可能とする画像表示制御装置及びプログラムの提供を目的とする。
【課題を解決するための手段】
【０００９】
上記課題を解決するために、請求項１に記載の発明では、保存メモリに記録されている画像データを再生して外部画像表示装置に表示させる画像表示制御装置であって、外部画像表示装置の表示モードを取得する表示モード取得手段と、保存メモリに記録されている複数の画像データのうち、表示モード取得手段によって取得された表示モードによって決定される表示可能数の画像の画像データを取り出して所定サイズの画像を生成する画像生成手段と、画像再生手段によって生成された画像を外部画像表示装置に送信し、該外部画像表示装置に表示させる表示制御手段と、を備えたことを特徴とする画像表示制御装置を提供する。  
これにより、画像表示制御装置は、取得した外部画像表示装置の表示モードに応じたサイズの一覧表示画面を当該外部画像表示装置の画面に表示できるので、その装置の表示領域を有効に使うことができる。
【００１０】
また、請求項２に記載の発明では、保存メモリに記録されている画像データを再生して外部画像表示装置に表示させる画像表示制御装置であって、保存メモリに記録されている各画像データにそれぞれ対応付けられて該保存メモリに記録されている画像評価データと、  外部画像表示装置との接続時に、該外部画像表示装置の表示モードを取得する表示モード取得手段と、画像を外部画像表示装置に一覧表示する際に、表示対象とする画像が表示モード取得手段によって取得された表示モードによって決定される表示可能数以上ある場合に、各画像データ毎の評価データに基いて表示対象とする各画像の画像評価値を取得する画像評価値取得手段と、画像評価値取得手段によって取得された画像評価値の高い順に保存メモリから表示可能数の画像の画像データを取得する画像データ取得手段と、画像データ取得手段によって取得された画像データから所定サイズの画像を生成する画像生成手段と、画像生成手段によって生成された表示可能数の画像を外部画像表示装置に送信し、該外部画像表示装置に表示されている一覧表示画面上に撮影日時順に表示させる表示制御手段と、を備えたことを特徴とする画像表示制御装置を提供する。  
これにより、画像表示制御装置接続された外部画像表示装置の表示モードに応じたサイズの一覧表示画面を当該テレビ受信装置の画面に表示できるので、テレビ画面の表示領域を有効に使うことができる。また、複数の画像の中から画像を所定数選択して表示する際に、各画像毎に記憶された画像評価データに基づいて当該所定数の画像を撮影日時の順序に一覧表示できるので複数の画像を代表する画像として最適な画像を表示できる。また、各画像の撮影日時順に配列されるため、ユーザは指定レベルでの実期間内に撮影された画像を代表する画像を、その前後関係で理解して把握できる。
【００１１】
また、請求項３に記載の発明では、表示モード取得手段は、外部画像表示装置との接続時に該外部画像表示装置から送られる信号を基に一覧表示画面の表示モードを判定する手段を含むことを特徴とする請求項１または２記載の画像表示制御装置を提供する。  
これにより、接続されている外部画像表示装置の画面の表示モードを自動的に判定できるので、画面の表示モードにあったサイズの一覧表示画面をその外部画像表示装置に表示できる。
【００１２】
また、請求項４に記載の発明では、表示モード取得手段は、表示モードデータを入力する手段を含むことを特徴とする請求項１または２記載の画像表示制御装置を提供する。  
これにより、外部画像表示装置の画面の表示モードを手動入力できるので画面の表示モードにあったサイズの一覧表示画面をその外部画像表示装置に表示できる。
【００１３】
また、請求項５に記載の発明では、表示モードは、外部画像表示装置の画面のアスペクト比によって決定され、表示制御手段は、アスペクト比に対応するサイズの一覧表示画面データを外部画像表示装置に送信する手段を備えたこと、を特徴とする請求項１または２記載の画像表示制御装置を提供する。  
これにより、表示モードは外部画像表示装置の画面のアスペクト比によって決定されるので、外部画像表示装置に表示させる一覧表示画面は、横サイズと、横方向に表示可能な画像の数を変えるだけで、他のフォーマットは変えなくてすむ。
【００１４】
また、請求項６に記載の発明では、複数の表示期間レベルのうちの任意のレベルを指定するレベル指定手段を備え、表示制御手段は、レベル指定手段によって指定された表示期間レベルに応じた一覧表示画面を外部画像表示装置に表示させる手段を備えたことを特徴とする請求項１または２記載の画像表示制御装置を提供する。  
これにより、所望の表示期間レベルを指定して指定レベルでの期間内における各代表画像を一覧表示できる。
【００１５】
また、請求項７に記載の発明では、表示期間レベルは、日単位、月単位、年単位、年代単位の期間レベルからなることを特徴とする請求項６に記載の画像表示制御装置を提供する。  
これにより、表示期間レベルを、日、月、年、年代といった人間の生活サイクルを単位にしているので、ユーザは指定レベルでの期間に一覧表示される各代表画像から撮影当時の出来事を連想でき、撮影当時の回想がしやすい。
【００１６】
また、請求項８に記載の発明では、対象期間は指定された表示期間レベル内で複数選択され、表示制御手段は、選択された各対象期間を縦軸方向とし、該対象期間内で生成された表示可能数の画像を横軸方向にとって画像表示装置に一覧表示させる手段を含むことを特徴とする請求項６または７に記載の画像表示制御装置を提供する。  
これにより、ユーザが期間レベルを指定すると直ちにそのレベルの対象期間内の画像が画像表示装置の表示画面に一覧表示されるので、ユーザは一覧表示された画像を見て所望の画像を選択できる。
【００１７】
また、請求項９に記載の発明では、外部画像表示装置はテレビ受信装置であることを特徴とする請求項１乃至８のいずれか１項に記載の画像表示装置を提供する。  
これにより、ユーザは画像表示制御装置に記録されている画像から所定の画像評価基準によって抽出された代表として最適な画像を一般家庭に普及しているテレビ受信装置に所定の順序で表示することができる。
【００１８】
また、請求項１０に記載の発明では、評価データは、各画像毎に複数設定され、所定の評価基準によって各画像の画像評価値算出データとして数値化されてなることを特徴とする請求項１乃至８のいずれか１項に記載の画像表示制御装置を提供する。  
これにより、計測できないが、画像に対する関心度に影響する評価情報を数値化できるので、画像評価値を計算により求めることができる。
【００１９】
また、請求項１１に記載の発明では、評価データは、該当する画像毎にユーザが設定した付加データに基づいて算出されることを特徴とする請求項１乃至８のいずれか１項に記載の画像表示制御装置を提供する。  
これにより、各画像に対し、ユーザが設定した評価データを付加データとして画像評価値の算出データとして用いることができる。
【００２０】
また、請求項１２に記載の発明では、評価データは、各画像の撮影日時から隣り合う画像間での撮影間隔に基づいて得られる撮影間隔データに基づいて算出されるデータを含むことを特徴とする請求項１乃至８のいずれか１項に記載の画像表示制御装置を提供する。  
これにより、撮影間隔を画像評価値の算出データとして用いることができ、直前画像との撮影間隔が大きい画像ほど代表として選ばれやすくなる。つまり、同一の場所で撮影した画像グループは撮影間隔が短いので、撮影間隔を画像評価値の算出要素としないと同一グループから代表画像がいくつも抽出される可能性があるが、異なる場所で撮影した画像グループ同士は撮影間隔が大きいことから、撮影間隔を画像評価値の算出要素とすることにより同一グループ内で複数の代表画像が抽出される可能性を低下させ、異なるグループの代表画像を得やすくなる。
【００２１】
また、請求項１３に記載の発明では、評価データは、記録画像に対するユーザの閲覧履歴データに基づいて算出するデータを含むことを特徴とする請求項１乃至８のいずれか１項に記載に画像表示制御装置を提供する。  
これにより、画像を見た回数や時間が多いほどユーザの評価は高いのでーザの閲覧履歴データを評価データとすることにより見た回数の多い画像が代表画像として選ばれやすくなる。
【００２２】
また、請求項１４に記載の発明では、閲覧履歴データは外部画像表示装置に表示される一覧表示画面から選択される画像の視聴時間の累積時間を含むことを特徴とする請求項１３に記載の画像表示制御装置を提供する。  
これにより、ユーザの関心が高いと考えられる累積視聴時間の多い画像が代表画像として選ばれやすくなる。
【００２３】
また、請求項１５に記載の発明では、閲覧履歴データは、外部画像表示装置に表示される一覧表示画面から選択される画像の視聴回数を含むことを特徴とする請求項１３に記載の画像表示制御装置を提供する。  
これにより、ユーザの関心が高いと考えられる視聴回数の多い画像が代表画像として選ばれやすくなる。
【００２４】
また、請求項１６に記載の発明では、保存メモリに記録されている画像データを再生して外部画像表示装置に表示させる画像表示制御装置のコンピュータに、外部画像表示装置との間でデータの送受信を制御する機能と、外部画像表示装置の表示モードを取得する機能と、保存メモリに記録されている複数の画像データのうち、取得した表示モードによって決定される表示可能数の画像の画像データを取り出して所定サイズの画像を生成する機能と、生成した画像を外部画像表示装置に送信し、該外部画像表示装置に表示させる機能と、を実行させるプログラムを提供する。  
これにより、画像表示制御装置は接続された外部画像表示装置の表示モードを取得し、取得した表示モードに応じたサイズの一覧表示画面を当該外部画像表示装置の画面に表示できる。
【００２５】
また、請求項１７に記載の発明では、保存メモリに記録されている画像データを再生して外部画像表示装置に表示させる画像表示制御装置のコンピュータに、外部画像表示装置との間でデータを送受信を制御する機能と、外部画像表示装置との接続時に、該外部画像表示装置の表示モードを取得する機能と、画像を外部画像表示装置に一覧表示する際に表示対象とする画像が取得した表示モードによって決定される表示可能数以上ある場合に、各画像データ毎の評価データに基いて表示対象とする各画像の画像評価値を取得する機能と、取得した画像評価値の高い順に保存メモリから表示可能数の画像の画像データを取得する機能と、取得した画像データから所定サイズの画像を生成する画像生成手段と、生成した表示可能数の画像を外部画像表示装置に送信し、該外部画像表示装置に表示されている一覧表示画面上に撮影日時順に表示させる機能と、を実行させるプログラムを提供する。  
これにより、画像表表示制御装置は、接続された外部画像表示装置の表示モードを自動的に取得し、複数の画像の中から画像を所定数選択して表示させる際に、指定した表示期間レベルで分類される各対象期間毎の代表画像を取得した表示モードに応じた表示可能数分、当該レベル・期間内での各画像の日時順に配列して当該外部画像表示装置の一覧表示できる。
【発明の効果】
【００２６】
本発明によれば、画像表示制御装置は、取得した外部画像表示装置の表示モードに応じたサイズの一覧表示画面を当該外部画像表示装置の画面に表示できるので、その装置の表示領域を有効に使うことができる。また、複数の画像の中から画像を所定数選択して表示する際に、各画像毎に記憶された画像評価データに基づいて当該所定数の画像を撮影日時の順序に一覧表示できるので複数の画像を代表する画像として最適な画像を表示できる。また、各画像の撮影日時順に配列されるため、ユーザは指定レベルでの実期間内に撮影された画像を代表する画像を、その前後関係で理解して把握できる。
【発明を実施するための最良の形態】
【００２７】
以下の説明で、「画像データ等」とは静止画データ及びその画像情報、若しくは、動画データ及びその画像情報をいう。なお、動画データの場合は音声データを含む。また、以下の説明では受信または入力する画像データが静止画データの場合はＪＰＥＧ（Joint Photograph cording Experts Group）圧縮されているものとし、動画データの場合はＭＰＥＧ（Motion Picture Experts Group）圧縮されているものとする。
【００２８】
図１は本発明に係る電子アルバムシステムの説明図であり、符号１は電子アルバム装置、符号２は、ユーザの操作により電子アルバム装置１に指示を与えるリモートコントロール装置（以下、リモコン装置と記す）、符号１００はデジタルカメラやパーソナルコンピュータ（以下、パソコン）等の外部画像記録装置、符号１５０はデジタルカメラ１００から画像を取り込む際に用いるＵＳＢケーブル、符号２００はテレビ等の外部画像表示装置を示す。また、符号２５０はテレビケーブル等の外部画像表示装置との接続ケーブルであり、テレビ受信装置２００と接続電子アルバム装置１に接続され電子アルバム装置１で再生された映像信号（映像データ）をテレビ受信装置２００等の外部画像表示装置に送信するために用いられる。
【００２９】
電子アルバム装置１は大容量の保存メモリを備え、接続されたデジタルカメラ１００やパソコン等の外部画像記録装置から取り込んだ画像データ（画像ファイル）を記録している。また、テレビ受信装置２００等の外部画像表示装置に接続されると、接続された外部画像表示装置の画面のアスペクト比等の画面の表示モードを取得し、ユーザが指定した期間内の代表画像を所定の評価基準により抽出して、接続されている外部画像表示装置の画面のアスペクト比にあった一覧表示画面を生成し、縮小画像（例えば、サムネイル画像）と共にその外部表示装置に送ってその画面に表示させる。また、その一覧表示画面上で選択された画像を保存メモリから取り出して再生し、その外部画像表示装置の画面サイズにあうように拡大して出力し、表示させる。
【００３０】
なお、上記図１で、電子アルバム装置１は、再生画像の表示をもっぱら外部画像表示装置に行うよう制御する装置であって、電子アルバム装置１自体には画像表示部を備えていない構成の装置であってもよい。また、電子アルバム装置１自体には画像表示部を備えた構成の装置とし、テレビ受信装置２００等の外部画像表示装置に接続された場合は一覧表示画面や再生画像の表示を外部画像表示装置に行わせるようにし、外部画像表示装置に接続された場合は一覧表示画面や再生画像の表示を電子アルバム装置自体に備えられた画像表示部に行わせるように制御するように構成された装置でもよい。
【００３１】
図２はテレビ画面に表示される画像の一覧表示画面のフォーマットの説明図であり、図２（ａ）は標準表示モードでアスペクト比４：３の画面に表示される一覧表示画面４０のフォーマットを示し、図示の例では、１行に７個のサムネイル画像を５行分表示可能に構成されている。図２（ｂ）はワイド表示モードでアスペクト比１６：９の画面に表示される一覧表示画面５０のフォーマット例を示し、図示の例では、１行に１０個のサムネイル画像を５行分表示可能に構成されている。
【００３２】
ケーブル１５０で、電子アルバム装置１とテレビ受信装置２００が接続されると、電子アルバム装置１はテレビ受信装置２００からテレビ受信装置２００の画面のアスペクト比を受け取ってテレビ受信装置２００の画面のアスペクト比を取得し、取得したアスペクト比に応じた一覧表示画面表示用フォーマットデータをテレビ受信装置２００に送ると共に、その一覧表示画面に表示する複数の縮小画像（例えば、サムネイル画像）をテレビ受信装置２００に送ってテレビ受信装置２００の画面に表示させる。表示する一覧表示画面はアスペクト比４：３の場合は（図２（ａ）の例では一覧表示画面４０であり、１行に７個のサムネイル画像が５行分表示される。また、アスペクト比１６：９の場合は図２（ｂ）の例では一覧表示画面５０であり、１行に７個のサムネイル画像が５行分表示される。
【００３３】
また、一覧表示画面４０、５０は、ユーザのリモコン操作により、日表示／月表示／年表示／年代表示／全件表示に任意に切り替えられるように構成されている。以下の説明では静止画像の再生表示の場合を例として説明するが、動画の再生表示においても略同様の手順で一覧表示画面を表示できる。
【００３４】
図２で、符号４１、５１は表頭表示欄、符号４２、５２は期間指定欄であり、符号４２−１〜４２−４、５２−１〜５２−４は期間指定用の標識（「日」、「月」、「年」、及び「年代」標識）と期間内の全画像データ表示を意味する「全件」標識からなり、ユーザが期間を指定すると対応する標識が点滅、若しくは異なる色彩等で差別表示される。
【００３５】
符号４３、５３は表示行であり、１行ごとに、指定期間が「日」、「月」、「年」、「年代」のいずれかなら、各行毎に表示可能画像数を限度とした画像を表示できる。また、「全件」指定の場合は現在指定されている期間内のすべての画像から抽出した画像の縮小画像を表示できる
【００３６】
符号４４、５４は各行毎に設けられた期間表示欄であり、ユーザによって選択された年代、年、月、あるいは日付（現在日以前）が新しい順に上から下に表示される。なお、選択・指定可能な日数は行数以内である。また、符号４５、５５は縮小画像表示欄であり、期間表示欄４４、５４に表示された期間内に撮影された複数の画像がタイムスタンプ順に表示される。また、表示される画像は縮小画像であり、サムネイル画像またはそれ以上のサイズであることが視覚的には望ましいがモニタ画面のサイズと表示可能画像数によって規定されるものである（本実施形態では、単に縮小画像と記している）。符号４６、５６は適用表示欄であり、タイムスタンプのほか、タイトルや、コメント等がある場合に表示される。
【００３７】
図３は、図１に示した電子アルバム装置１の電子回路構成の一実施例を示す図である。図３で、電子アルバム装置１は、表示モード取得部１０、デジタルカメラ１００等の外部画像記録装置から送信された画像データ等を受信する画像受信部１１、光ディスクやメモリカード等の記録媒体に記憶された画像を読み取って入力する画像入力部１２、ＤＭＡコントローラ１３、ＤＲＡＭインターフェイス（Ｉ／Ｆ）１４、ＤＲＡＭ１５、保存メモリ１６、制御部１７、ＪＰＥＧ回路１８、ＶＲＡＭ１９、ＶＲＡＭコントローラ２０、ＶＲＡＭ１９、デジタルビデオエンコーダ２１、表示部２２、アナログ映像信号出力部２３、デジタル映像信号出力部２４、リモコン信号受信２５部、ＭＰＥＧ回路２６、音声出力部２７、及びキー入力部３０を備えている。
【００３８】
なお、電子アルバム装置１を画像の表示をもっぱらアナログ映像を表示する外部画像表示装置に行わせるよう画像表示部を備えていない構成の装置とした場合は、デジタルビデオエンコーダ２１、及び表示部２２は不要であり、もっぱらデジタル映像を表示する外部画像表示装置（例えば、デジタルテレビ）に行わせるよう画像表示部を備えていない構成の装置とした場合は、アナログ映像信号出力部２３は不要となる。また、画像入力部１２及びキー入力部３０は必須ではない。同様に、表示部２２を備えている場合はアナログ映像信号出力部２３、デジタル映像信号出力部２４は必須ではなく、キー入力部３０を備えている場合は、リモコン信号受信部２５は必須ではない。また、電子アルバム装置１を静止画表示専用装置として構成する場合にはＭＰＥＧ回路２６及び音声出力部２７は不要である。
【００３９】
表示モード取得部１０は、電子アルバム装置１がテレビ受信機２００等の外部画像表示装置に電気的に接続されたとき、接続された外部画像表示装置から送信される信号に含まれる当該装置の画面のアスペクト比を取得し、外部画像表示装置の表示モードとして制御部１７に送る。
【００４０】
画像受信部１１はＵＳＢインターフェイスを含み、ＵＳＢケーブル１５０（図１）を介してデジタルカメラ１００やパソコン等の外部画像記録装置から送信された画像データ等信号を受信し、ＤＲＡＭコントローラ１３を介してＤＲＡＭ１５に記憶する。
【００４１】
画像入力部１２は記録媒体に記録されている画像データ（圧縮画像データ）等のデータを読み取る読取装置（例えば、光ディスク読取装置やメモリカードリーダ等）からなり、装着された記録媒体から読み取った画像データ等ＤＲＡＭコントローラ１３を介してＤＲＡＭ１５に記憶する。
【００４２】
ＤＲＡＭコントローラ１３は、画像受信部１１または画像入力部１２で取り込んだ画像データ（圧縮画像データ）をＤＲＡＭインターフェイス（Ｉ／Ｆ）２０を介してバッファメモリとして使用されるＤＲＡＭ１５にＤＭＡ転送する。
【００４３】
ＤＲＡＭ１５は一時記憶領域または作業用領域として用いられ、画像受信部１１または画像入力部１２で取り込んだ画像データ（圧縮画像データ）の一時記憶領域や、画像管理レコードのソート（並び替え）や、圧縮画像データの伸張処理や、サムネイル画像等の縮小画像生成処理時等の作業用領域等として用いられる。
【００４４】
保存メモリ１６は、光ディスク、フラッシュメモリ、若しくは他の公知の大容量のリムーバルなメモリからなり、画像受信部１１または画像入力部１２から取り込まれた画像データ等を記録している。また、図示していないが、保存メモリ１６に電子アルバム装置１に接続されるテレビ受信機２００等の外部画像表示装置の表示部の画面サイズに応じて予め生成された複数種類の一覧表示画面用のフォーマットデータ（例えば、４：３のアスペクト比の画面に応じた標準表示モード用の画面フォーマットデータや１６：９のワイド表示モード用の画面フォーマットデータ）および各一覧表示画面の１行あたりの表示可能数Ｋおよび行数Ｇ等を記録している。
【００４５】
制御部１７は、この電子アルバム装置１全体の制御動作を司るものであり、ＣＰＵ若しくはＭＰＵ（以下、ＣＰＵ）と、後述するような、画像サイズ情報検出部１０から受け取る信号に対応しての表示モードの判定動作や画像データの再生表示時の画像再生動作等を含む該ＣＰＵで実行される動作プログラムを固定的に記憶したフラッシュメモリ等のプログラム格納メモリ、及びワークメモリとして使用されるＲＡＭ等により構成されている。また、保存メモリ１６に代えて、プログラム格納メモリに電子アルバム装置１に接続されるテレビ受信機２００等の外部画像表示装置の表示部の画面サイズに応じて予め生成された複数種類の一覧表示画面用のフォーマットデータや各一覧表示画面の１行あたりの表示可能数および行数等の定数等を格納するようにしてもよい。
【００４６】
制御部１７は、また、リモコン信号受信部２５（またはキー入力部３０）から受け取る信号に対応してフラッシュメモリ等のプログラム格納用メモリに格納されている各モードに対応のプログラムやメニューデータを取り出して、電子アルバム装置１の他の各機能の実行制御、例えば、画像データの受信や読み取り、所定の評価基準に基づく代表画像の抽出、各指定期間に応じた代表画像等の一覧表示制御、代表画像の一覧表示画面のスクロール動作制御、保存メモリ１６に記録した画像の再生・表示等の実行制御等や、機能選択時の機能選択メニューの表示制御等を行う。  
【００４７】
ＪＰＥＧ回路１８は、ＡＤＣＴ（Adaptive Discrete Cosine Transform：適応離散コサイン変換）、エントロピ符号化方式であるハフマン符号化等の処理によりデータ圧縮されている画像データ（静止画データの圧縮画像データ）を、再生表示モードで、データ圧縮した手順とまったく逆の手順で伸張する。
【００４８】
ＶＲＡＭコントローラ２０は、ＪＰＥＧ回路１８で伸張した画像データをＶＲＡＭ１９に展開して記憶させた上で、このＶＲＡＭ１９から定期的に読み出し、これらの画像データをデジタル映像信号出力部２４を介してデジタルビデオエンコーダ２１に出力してビデオ信号を生成させテレビ受信装置２００等のデジタル映像を表示する外部画像表示装置に出力する。表示部２２による画像表示が行なわれる場合も同様である。また、テレビ受信装置２００等の外部画像表示装置がアナログ映像を表示する場合これらの画像データをアナログ映像信号出力部２３を介して外部画像表示装置に出力する。
【００４９】
デジタルビデオエンコーダ２1は、上記ＶＲＡＭ１９に展開して記憶されている画像データをＶＲＡＭコントローラ２０を介してＶＲＡＭ１９から定期的に読み出し、これらのデータを基にデジタル映像信号（ビデオ信号）を生成して表示部２２に出力する。
【００５０】
表示部２２は液晶モニタ画面を有し、デジタルビデオエンコーダ２１からのビデオ信号に基づいた表示を行うことで、その時点でＶＲＡＭコントローラ２０から取込んでいる画像情報に基づく画像やデータ、表示用のフォーマット画面や文字メッセージ、アイコン等を液晶モニタ画面に表示する。
【００５１】
アナログビデオ信号出力部２３はテレビケーブル２５０等の信号入出力用ケーブルを接続する端子部を含み、ＶＲＡＭコントローラ２０からの画像データをアナログビデオ信号に変換して（アナログ映像を表示する）テレビ受信装置２００等の外部画像表示装置に出力する。
【００５２】
デジタルビデオ信号出力部２４はテレビケーブル等のケーブルを接続する端子部を含み、デジタルビデオエンコーダ２１からのデジタルビデオ信号を（デジタル映像を表示する）テレビ受信装置２００等の外部画像表示装置に出力する。
【００５３】
リモコン信号受信部２５は図５に示すようなリモコン装置２からのリモコン信号を受信すると、受信信号を該信号に応じた所定のコードに変換して制御部１７に送る。
【００５４】
ＭＰＥＧ回路２６はデータ圧縮されている画像データ（動画データの圧縮データ）を動画再生時に、データ圧縮した手順とまったく逆の手順で伸張する。
【００５５】
音声出力部２７は、動画表示モードの場合に動画に関連付けて保存メモリ１６に記録されている音声データを音声に復元して外部に出力する。なお、音声出力部２７を操作ガイド等の音声案内メッセージ出力用に用いることもできる。
【００５６】
キー入力部３０は後述するリモコン装置２（図５）のキー２−１〜２−１４と同様の入力キーを備え、これらのいずれかが押されると押されたキーに対応付けられた状態信号を制御部１７に送出する。
【００５７】
図４はリモコン装置２の一実施例の正面図であり、リモコン装置２は正面に、静止画再生ボタン２−１、動画再生ボタン２−２、カーソルキー２−３、確認キー２−４、スクロールボタン２−５、画像表示装置指定ボタン２−６、２−７、２−８、文字入力ボタン２−９、電源ボタン２−１０、終了ボタン２−１１、音量調整ボタン２−１２、戻しボタン２−１３、記録ボタン２−１４等のキーを備え、前面中央部にはリモコン信号送出口を有するリモコン信号送信部２−０を有してなり、ユーザがリモコン装置２の上記いずれかのキーまたはボタンを押すたびに、指示に対応するリモコン信号がリモコン信号送信部２−０から送出される。なお、リモコン信号送信部２−０は、無線信号送信手段や、赤外線通信手段装置若しくはブルートゥース等のような公知の近距離通信手段から構成できる。
【００５８】
図４で、静止画再生ボタン２−１が押されるとリモコン装置２から電子アルバム装置１の起動信号及びモード指定信号が送出され、電子アルバム装置１は起動のあと静止画表示モードとなり、一覧表示する、指定期内の対象期間内の代表的な複数の静止画像の選択を促す。動画再生ボタン２−２が押されると電子アルバム装置１の起動信号及びモード指定信号が送出され、電子アルバム装置１は起動のあとは動画表示モードとなり、一覧表示する、指定期内の対象期間内の代表的な複数の動画像の選択を促す。カーソルキー２−３は上方移動操作、下方移動操作、左方移動操作、左方移動操作可能に構成されており、ユーザはカーソルキー２−３を操作してカーソル枠を上下左右に移動させ、所望の画像を選択したり、アイコンやメニューの選択指定を行うことができる。確認キー２−４はカーソルキー２−４の操作により選択指定された画像やアイコン、メニュー、入力文字等の確認を行うキーであり、確認キー２−４が押されると確認（確定）信号が制御部１７に送られる。
【００５９】
スクロールボタン２−５は画面を前後、あるいは左右にスクロールさせるための操作キーであり、前後及び左右スクロール用４個のボタン（図５の例では前後左右を示す４個の三角形のボタン）が設けられている。ユーザはスクロールボタン２−５を操作して一覧表示画面を前後または左右にスクロールさせることができる。なお、スクロール用の４個のボタンのうち、左右スクロール用の２個のボタンは必須ではない。
【００６０】
画像表示装置指定ボタン２−６、２−７、２−８は一覧表示画面や再生画像を表示する画像表示装置を指定するためのキーであり、図５に示す例ではボタン２−６はテレビ受信装置２００に、ボタン２−７は画像アルバム装置１の表示部２２に対応付けられている。また、ボタン２−８はユーザ設定の画像表示装置に対応付けられている（ボタン２−８は必須ではない）。
【００６１】
文字入力ボタン２−９は「０」〜「９」の１０個の数字／文字キーからなり、ユーザが評価基準を設定する場合等に必要な情報を入力するために用いることができる。電源ボタン２−１０はリモコン装置２の電源オン／オフを行うキーであり、終了ボタン２−１１を押すと、終了指示信号が電子アルバム装置１に送出され、電子アルバム装置１の各種のモード実行を終了させる。音量調整ボタン２−１２は動画再生表示モード時の音声や静止画再生表示モード時にナレーション等の音声を出力するようにした場合の音声の音量を調整操作するキーである。
【００６２】
戻しボタン２−１３はスライドショー表示を停止させた場合に、所望の画像が表示されるように画像を１コマずつ戻す場合に用いる遡及表示操作キーである。また、記録ボタン２−１４はデジタルカメラ１００等の外部画像記録装置から画像データを受信したり、メモリカード等の記録媒体に記録されている画像データを読み取る場合に操作するキーであり、記録キー２−４が押されるとリモコン装置２から電子アルバム装置１に記録指示信号が送出され、電子アルバム装置１は記録モードに移行して上述した画像データの取り込み処理を行い、取り込んだ画像データを保存メモリ１６に記録する。
【００６３】
図５は保存メモリに割り当てられる記憶領域の一実施例を示す図であり、保存メモリ１６の記憶領域には、複数の画像管理レコード（図６）を記録する画像管理レコード記録領域１６１、画像ファイル（静止画像ファイル若しくは動画像ファイル）を記録する画像ファイル記録領域１６２、及び画像ファイル記録領域に動画像ファイルが記録されている場合にその動画像ファイルに関連付けて記録される音声ファイルを記録する音声ファイル記録領域１６３が確保されている。また、図示していないが一覧表示用の画面フォーマットデータや定数を記録する領域を有している。
【００６４】
図６は代表画像抽出に用いる画像管理レコードの構成例を示す図である。画像管理レコード６０はデジタルカメラ１００等の外部画像記録装置から受信した画像ファイル（圧縮画像データ）やメモリカード等の記録媒体から読み取った画像ファイル（圧縮画像データ）を保存メモリ１６に記録する際に、記録する画像ファイルに対応付けて１レコードずつ生成され記録されるデータであり、画像管理レコード記録領域１６１に記録されている。
【００６５】
画像管理レコード６０は、画像ファイル記憶領域１６２に記録されている対応の画像ファイルの画像ファイル番号を記憶する画像ファイル番号記憶欄６１、画像ファイルの記録時に画像ファイルから取り出したタイムスタンプを記憶するタイムスタンプ記憶欄６２、画像ファイルの取り込み時にユーザが設定入力した文字列からなるタイトルやコメントを記憶するタイトル記憶欄６３及びコメント記憶欄６４、画像記録後、任意の時期に設定／変更可能なレーティング（お気に入り）による；デフォルト値＝１）を記憶するレーティング記憶欄６５、画像を再生表示するたびに１つずつカウントアップされて更新される視聴回数記憶欄６６、画像を再生表示するたびに視聴時間を積算する視聴時間記憶欄６７、撮影間隔（直前に撮影された画像の撮影時刻との撮影時刻の差）に基づく値（図９参照）を記憶するタイム間隔記憶欄６８、及び所定の評価基準に基づいて後述するような算出方法で算出された画像評価値を記憶する画像評価値記憶欄６９を有している。
【００６６】
上述した各記憶欄のうちのタイトル記憶欄６２〜タイム間隔記憶欄６８に記憶されるタイトル〜タイム間隔はそれぞれ評価情報（評価データ）に相当し、画像管理レコードの選択処理時）に評価情報と所定の評価基準値を基に各評価情報ごとの評価値が決定され、決定された評価値に基づいて画像の評価値が算出される。また、タイトル記憶欄６２〜タイム間隔記憶欄６８に記憶されるタイトル〜タイム間隔は一覧画像表示時や画像再生時に更新される場合がある。
【００６７】
また、画像管理レコード６０は一覧画像表示時に指定期間や画像評価値をキーとしてソートされ、画像評価値の大きい順に所定数の画像が抽出される。
【００６８】
図７は評価情報をパラメータとして数値化するための評価情報数値化テーブルの一実施例を示す図であり、評価情報数値化テーブル７０は画像管理レコードの選択処理時に図示のような評価基準値Ａ、Ｂ、Ｃ、Ｄ、Ｅ、Ｆに基づいて各評価情報毎に評価値が決定され、所定の計算式により画像評価値が算出される。画像評価値は、例えば、図７で各評価情報の評価値基準値をＡ、Ｂ、Ｃ、Ｄ、Ｅ、Ｆとし、画像評価値をαとすると、評価式；α＝（Ａ＋Ｂ＋Ｃ＋Ｅ＋Ｆ）×Ｄ；で求めることができる。
【００６９】
図７の例で、評価情報のうち、タイムスタンプの評価基準値は０、タイトルやコメントは設定されていればその分ユーザの関心が高いことを意味するものとして５が与えられ、設定されていない場合は０が与えられる。また、レーティング（お気に入り）はユーザによって設定される値であり、１〜５のいずれかが設定される（デフォルト値＝１）。視聴回数は、視聴回数＝点数とされるが、１０を越えると１０に固定される。視聴時間は例えば積算時間（分）／６０分として算出される値であり、算出値（小数点以下は切り捨て）＝点数とされるが、１０を越えると１０に固定される。
【００７０】
また、タイム間隔は撮影間隔の算出値に対応する値を図８のタイム間隔数値化テーブル９０を基に数値化したものであり、数値化テーブルを参照して対応する値をタイム間隔として取得することとなる。
【００７１】
図８はタイム間隔情報をパラメータとして数値化するためのタイム間隔数値化テーブルの一実施例を示す図であり、タイム間隔数値化テーブル８０は直前に撮影された画像の撮影時刻との撮影時刻の差を図示のように区分して区分ごとに点数を与えてパラメータ（タイム間隔）化したものである。なお、３０日以上の撮影間隔は９で固定としている。このようにタイム間隔を設定しておくことにより、撮影時間間隔の差が少ない画像ほど同一場所で同一被写体を連続的に撮影した画像である場合が多いことから、タイム間隔の点数を低くして連続的に撮影された画像を代表画像として抽出しないようにできる。また、撮影間隔の大きい画像を再生することはその画像に対するユーザの印象や関心が高いことや利用価値が高いことも点数に加味されている。
【００７２】
図９は記録画像の画像評価値を算出する際の画像Ｙの各評価情報毎の評価値の一例を示す図であり、各評価情報の評価値Ａ、Ｂ、Ｃ、Ｄ、Ｅ、Ｆは画像管理レコードの選択処理時に各画像に対応する画像情報レコードの評価情報を図７に示したような評価情報数値化テーブル７０の評価基準値を基に各画像ごと数値化して得られるものである。この評価値を元に上述した評価式；α＝（Ａ＋Ｂ＋Ｃ＋Ｅ＋Ｆ）×Ｄで画像Ｙの画像評価値を求めると、画像Ｙの画像評価値＝（０＋０＋０＋３＋１＋３）×１＝７となる。
【００７３】
図１０は標準表示モード、つまり、アスペクト比４：３の画面に表示した代表画像の一覧表示例を示す図である。図１０（ａ）はアスペクト比４：３の一覧表示画面に、指定期間＝「日」、つまり、１日単位でその日を代表する画像を縮小して１行（この例では１行あたりの表示可能数Ｋ＝７）に表示し、それを５行（５日）分縦方向に並べて一覧表示したものであり、ユーザは１行に表示されている縮小画像（図示の例で、記号やマーク、文字等は画像を意味するものとする）を見ていくうちに撮影当日の１日の出来事などを回想することができる。
【００７４】
また、図１０（ｂ）はアスペクト比４：３の一覧表示画面に、指定期間＝「月」、つまり、１月単位でその月を代表する画像を縮小して１行に表示し、それを５行（５日）分縦方向に並べて一覧表示したものであり、ユーザは１行に表示されている縮小画像を見ていくうちにその月の出来事などを回想することができる。同様に、期間を指定することにより、年単位の代表画像の一覧表示画面、年代単位の代表画像の一覧表示画面を表示できる。また、「全件」指定の場合は現在の指定期間内の全画像を縮小して５行分ずつ一覧表示することができる。
【００７５】
図１１はワイド表示モード、つまり、アスペクト比１６：９の画面に表示した代表画像の一覧表示例を示す図である。図１１（ａ）はアスペクト比１６：９の一覧表示画面に、指定期間＝「年」、つまり、年単位でその年を代表する画像を縮小して１行（この例では１行あたりの表示可能数＝１０）に表示し、それを５行（５日）分縦方向に並べて一覧表示したものであり、ユーザは１行に表示されている縮小画像（図示の例で、記号やマーク、文字等は画像を意味するものとする）を見ていくうちにその画像を撮影した年の出来事などを回想することができる。
【００７６】
また、図１１（ｂ）はアスペクト比１６：９の一覧表示画面に、指定期間＝「年代」、つまり、１０年単位でその年代を代表する画像を縮小して１行に表示し、それを５行（５日）分縦方向に並べて一覧表示したものであり、ユーザは１行に表示されている縮小画像を見ていくうちにその年代の出来事などを回想することができる。同様に、期間を指定することにより、日単位の代表画像の一覧表示画面、月代単位の代表画像の一覧表示画面を表示できる。また、「全件」指定の場合は現在の指定期間内の全画像を縮小して５行分ずつ一覧表示することができる。
【００７７】
上記図１０及び図１１に示した各一覧表示画面において指定された期間はハイライト表示されている表頭表示欄４１上で差別表示（図示の例では四角い枠で囲んで表示）されている。また、各行の期間表示欄４４には期間（撮影した日、月、年、年代）が表示され、各行には同一期間内に撮影された画像の代表画像が最大Ｋ個ずつ表示可能であり、タイムスタンプ順に表示されている。ユーザがリモコンの操作によりカーソルである期間をポイントすると、その行が強調表示等により差別表示されると共に、表頭表示欄４１にカーソルでポイントされている対象期間４７が表示される。また、ハイライト表示されている摘要欄４５には撮影時刻４５−１やコメント４５−２〜４５−４等が表示される。
【００７８】
（画像表示動作）  
図１２は画像再生時の電子アルバム装置の動作概要を示すフローチャートであり、このフローチャートは電子アルバム装置１に本願発明の電子アルバム装置１に本願発明の一覧表示画面のサイズ決定／画像抽出／表示機能を実現させるためのプログラムを説明するためのものである。  
以下に示す処理は基本的に制御部１７が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、電子アルバム装置１が家庭用のテレビ受信装置２００に接続され、ユーザがリモコン装置２から指示を行って電子アルバム装置１に記録されている画像を再生して接続されている家庭用のテレビ受信装置（デジタルテレビ）２００に表示する場合を例とし、テレビ受信装置２００がアスペクト比４：３の画面を備えた装置の場合を標準表示モード、アスペクト比１６：９の画面を備えた装置の場合をワイド表示モードとして以下説明する。
【００７９】
図１２で、ユーザがリモコン装置２の静止画表示ボタン２−１または動画表示ボタン２−２を押すと電子アルバム装置１の電源がオンとなり、動作プログラムが起動される。  
表示モード取得部１０は電子アルバム装置１とテレビ受信装置２００がケーブル２５０で接続されると、テレビ受信装置２００に表示モード情報送信要求（制御信号）を送出し、テレビ受信装置２００から送られてくる画面のアスペクト比を検出して制御部１７に送出する（ステップＳ０）、制御部１７は表示モード取得部１０から送られた検出結果を調べ、テレビ受信装置２００がアスペクト比４：３の画面を備えた装置の場合は標準表示モードと判定して標準表示モードを意味するフラグ値をＲＡＭに保持してステップＳ２に進み、アスペクト比１：９の画面を備えた装置の場合はワイド表示モードと判定してワイド表示モードを意味するフラグ値をＲＡＭに保持してステップＳ３に進む（ステップＳ１）。
【００８０】
標準表示モードの場合は、制御部１７は標準表示モード用の一覧表示画面（図２（ａ）参照）のフォーマットデータ及び１行あたりの表示可能数Ｋ（本実施例ではＫ＝７）を保存メモリ１６から取り出してＶＲＡＭコントローラ２０を介してＶＲＡＭ１９にイメージ展開させてからＶＲＡＭコントローラ２０を介してデジタルビデオエンコーダ２１、デジタルビデオ信号出力部２４、ケーブル２５０の経路でテレビ受信装置２００に送信し、その画面上に表示させ、ステップＳ４に進む（ステップＳ２）。
【００８１】
また、ワイド表示モードの場合は、制御部１７はワイド表示モード用の一覧表示画面（図２（ｂ）参照）のフォーマットデータ及び１行あたりの表示可能数Ｋ（本実施例ではＫ＝１０）を保存メモリ１６から取り出してＶＲＡＭコントローラ２０を介してＶＲＡＭ１９にイメージ展開させてからＶＲＡＭコントローラ２０を介してデジタルビデオエンコーダ２１、デジタルビデオ信号出力部２４、ケーブル２５０の経路でテレビ受信装置２００に送信し、その画面上に表示させ、ステップＳ４に進む（以下、データをテレビ受信装置に表示させるための制御部１７〜テレビ受信装置２００に送信するまでの動作を、単に、「データを送ってテレビ受信装置２００に表示させる」と記す）（ステップＳ３）。
【００８２】
また、この際、表示用属性コードをテレビ受信装置２００に送って一覧表示画面の表頭表示欄４１をハイライト表示させる（ステップＳ４）。
【００８３】
次に、制御部１７は行カウンタを初期化（カウント値＝０）してステップＳ６に進む（ステップＳ５）。
【００８４】
ユーザは一覧表示画面が表示されるとリモコン装置２を操作して期間指定欄４２の標識（日、月、年、年代）のいずれかを指定するので、制御部１７はリモコン信号受信部２５からの信号を調べ、「日」表示が指定された場合はステップＳ７に進み、「月」表示が選択された場合はステップＳ９に進み、「年」表示が選択された場合はステップＳ１１に進み、「年代」表示が選択された場合はステップＳ１３に進み、終了操作がなされた場合は処理を終了し、電源をオフにする。また、期間指定も終了操作もない場合は期間指定または終了操作のあるまで待つ（ステップＳ６）。
【００８５】
指定期間として「日」が指定された場合は、制御部１７は表示属性コードをテレビ受信装置２００に送って「日」指定標識４２−１の表示色を変更させてハイライト表示し（ステップＳ７）、保存メモリ１６に記録している全画像管理レコードを日付別にソートし、現在日以前で５日分の画像データを評価対象画像とするように５日分の画像管理レコードを抽出してＤＲＡＭ１５に転送する。また、この際、抽出された画像管理レコードのタイムスタンプ記憶欄７２を調べて最も新しい日付を指定期間としてＤＲＡＭ１５（または制御部１７のＲＡＭに）保持し、ステップＳ１５に進む（ステップＳ８）。
【００８６】
指定期間として「月」が指定された場合は、制御部１７は表示属性コードをテレビ受信装置２００に送って「月」指定標識４２−２の表示色を変更させてハイライト表示し（ステップＳ９）、保存メモリ１６に記録している全画像管理レコードを月別にソートし、現在日を含む月以前で５ヶ月分の画像データを評価対象画像とするように５ヶ月分の画像管理レコードを抽出してＤＲＡＭ１５に転送する。また、この際、抽出された画像管理レコードのタイムスタンプ記憶欄７２を調べて最も新しい月を指定期間としてＤＲＡＭ１５（または制御部１７のＲＡＭに）保持し、ステップＳ１５に進む（ステップＳ１０）。
【００８７】
指定期間として「年」が指定された場合は、制御部１７は表示属性コードをテレビ受信装置２００に送って「年」指定標識４２−３の表示色を変更させてハイライト表示し（ステップＳ１１）、保存メモリ１６に記録している全画像管理レコードを年別にソートし、現在日を含む年以前で５年分の画像データを評価対象画像とするように５年分の画像管理レコードを抽出してＤＲＡＭ１５に転送する。また、この際、抽出された画像管理レコードのタイムスタンプ記憶欄７２を調べて最も新しい年を指定期間としてＤＲＡＭ１５（または制御部１７のＲＡＭに）保持し、ステップＳ１５に進む（ステップＳ１２）。
【００８８】
指定期間として「年代」が指定された場合は、制御部１７は表示属性コードをテレビ受信装置２００に送って「年代」指定標識４２−４の表示色を変更させ（ステップＳ１３）、保存メモリ１６に記録している全画像管理レコードを年代別にソートし、現在日を含む年代以前で５年代分の画像データを評価対象画像とするように５０年分の画像管理レコードを抽出してＤＲＡＭ１５に転送する。また、この際、抽出された画像管理レコードのタイムスタンプ記憶欄７２を調べて最も新しい年代を指定期間としてＤＲＡＭ１５（または制御部１７のＲＡＭに）保持し、ステップＳ１５に進む（ステップＳ１４）。
【００８９】
制御部１７は、上記ステップＳ８、Ｓ１０、Ｓ１２、Ｓ１４のいずれかで抽出した画像管理レコード（図６）を図７に示したような評価基準値を元に画像評価値を算出して分類し、画像評価値の高い順にＫ（Ｋは表示可能数）個の画像（代表画像）を選択してステップＳ１６に進む（ステップＳ１５）。
【００９０】
制御部１７は上記ステップＳ１６で選択された画像管理レコードをタイムスタンプ順にソートしてから選択された画像管理レコードに対応する画像データ（代表画像データ）を順次保存メモリ１６から抽出し、その縮小画像を生成して、一行に表示する数分の縮小画像（１行あたり最大Ｋ個）のビデオデータをテレビ受信装置２００に順次送って１行分の画像として表示させる（ステップＳ１６）。
【００９１】
制御部１７は行カウンタに１を加えてから、行カウンタの値が５を越える場合は表示行分の表示を行ったものとしてステップＳ１８に進み、そうでない場合は次の表示行に代表画像を表示するためにステップＳ１５に戻る（ステップＳ１７）。
【００９２】
ユーザは一覧表示画面に代表画像が表示されおわったあと、期間内の全画像の閲覧を所望する場合は、リモコン装置２を操作して期間指定欄４２の「全件」表示を指定できるので、制御部１７はリモコン信号受信部２５からの信号を調べ、「全件」表示が指定された場合はステップＳ１９に進み、そうでない場合はステップＳ２０に進む（ステップＳ１８）。
【００９３】
「全件」が指定された場合は、制御部１７は、現在の期間内の画像管理レコードをすべてタイムスタンプ順に抽出してソートし、対応する画像データを取り出してその縮小画像を生成し、縮小画像のビデオデータをテレビ受信装置２００に順次送って５行×Ｋ個分の縮小画像を表示させる（ステップＳ１９）。
【００９４】
ユーザは一覧表示画面に画像が表示され終わったあとリモコン装置２を操作して表示行を上下にスクロールして指定期間内の他の代表画像を表示させたり、カーソルボタン２−４を操作して対象行を変更することができるので、制御部１７はリモコン信号受信部２５からの信号を調べ、上下スクロールボタンが操作された場合はステップＳ２１に進み、そうでない場合はステップＳ２２に進む（ステップＳ２０）。
【００９５】
上下スクロールキーが操作された場合は、制御部１７行をスクロール方向にスクロールさせて指定期間内の他の代表画像（縮小画像）を表示させ、ステップＳ１８に戻る（ステップＳ２１）。
【００９６】
制御部１７はリモコン信号受信部２５からの信号を調べ、行変更指示があった場合は、ステップＳ２３に進み、行変更指示のない場合はステップＳ２４に進む（ステップＳ２２）。
【００９７】
行変更指示があった場合は、指示により指定された行の期間を指定期間として特定して、ステップＳ１８に戻る（ステップＳ２３）。
【００９８】
ユーザは一覧表示画面に表示されている縮小画像を拡大表示したい場合は、リモコン装置２のカーソルキー２−４を操作してカーソルで所望の画像を選択指定し、確認キー２−３を押すので、制御部１７はリモコン信号受信部２５からの信号を調べ、カーソルが縮小表示されている画像上にありかつ確認キー２−３が押された場合は拡大表示指示があったものとしてステップＳ２５に進み、操作されていない場合はステップＳ２６に進む（ステップＳ２４）。
【００９９】
拡大指示操作があった場合は、制御部１７は指定された縮小画像データに対応する画像データを保存メモリ１６から取り出して伸張して拡大し、拡大画像データをテレビ受信装置に送って拡大画像を表示させる。また、この際、制御部１７は、拡大画像の視聴時間のカウントし画面表示が終わると対応する画像管理レコードの視聴時間記憶欄７７に記憶されている視聴時間にカウントした視聴時間を累積し、  更に、画像管理レコードの視聴時間回数記憶欄７６の視聴時間回数に１を加えて更新する（ステップＳ２５）。
【０１００】
制御部１７はリモコン信号受信部２５からの信号を調べ、終了キー２−１１が押された場合は画像表示処理を終了させ、そうでない場合は一覧法事画面の表示色の属性を元に戻すと共に一覧表示画面の表示内容（期間や画像、その他のデータ）をクリアしてステップＳ４に戻る（ステップＳ２６）。
【０１０１】
上記図１２のフローチャートに示した動作により、電子アルバム装置１は接続されたテレビ受信装置の画面のアスペクト比を自動的に取得して、取得したアスペクト比に応じたサイズの一覧表示画面を当該テレビ受信装置の画面に表示できるので、テレビ画面の表示領域を有効に使うことができる。また、保存メモリ１６に記録している各画像のうち、指定された期間内に撮影された画像の評価情報を図７に示したような重み付けされた評価基準値で数値化し、数値化された基準値を元に各画像の評価値（＝画像評価値）を所定の評価式で計算して、評価値の大きさ順に所定数の画像を代表画像として抽出して、接続されたテレビ受信装置に送ってその画面いっぱいに表示されている一覧表示画面に表示できる。
【０１０２】
また、上記図１２のフローチャートのステップＳ２５で選択指定された画像を拡大表示するときに視聴時間や視聴回数を自動更新するので、画像の評価値が視聴時間や視聴回数によって変化する。つまり、画像を見れば見るほどその視聴時間や視聴回数の評価値が自動的に高くなり、画像評価値も高くなる。
【０１０３】
なお、上記図１２のフローチャートではテレビ受信装置２００等の外部画像表示装置がデジタル映像を表示する装置の場合を例としたが、ＶＲＡＭ１９からの出力データの経路をＶＲＡＭコントローラ２０、アナログビデオ信号出力部２３、ケーブル２５０とすることにより、アナログ映像を表示する装置の場合にも適用できる。
【０１０４】
また、上記図１２のフローチャートのステップＳ０で、表示モード取得部１０はテレビ受信装置２００に表示モード情報送信要求信号を送出し、テレビ受信装置２００から送られてくるアスペクト比を検出して制御部１７に送出するようにしたが、ステップＳ０を、「表示モード取得部１０は電子アルバム装置１とテレビ受信装置２００がケーブル２５０で接続されるとテレビ受信装置２００から送られる各種情報のうち画面のアスペクト比を検出し、制御部１７に送出する」ようにしてもよい。
【０１０５】
（変形例）  
上記実施例の説明では、電子アルバム装置１とテレビ受信装置２００が接続されると電子アルバム装置１はテレビ受信装置２００の画面のアスペクト比を自動的に取得するものとして説明したが、電子アルバム装置１側でテレビ受信装置２００等の外部画像表示装置のアスペクト比をマニュアル入力して設定するようにしてもよい。なお本変形例では、図３に示した表示モード取得部１０は必須ではない。
【０１０６】
図１３は画像再生時の電子アルバム装置の変形例の動作概要を示すフローチャートであり、このフローチャートは電子アルバム装置１に本願発明の一覧表示画面のサイズ決定／画像抽出／表示機能を実現させるためのプログラムを説明するためのものである。  
【０１０７】
図１３で、ユーザがリモコン装置２の静止画表示ボタン２−１または動画表示ボタン２−２を押すと電子アルバム装置１の電源がオンとなり、動作プログラムが起動される。ユーザはリモコン装置２を操作して接続されているテレビ受信装置２００のアスペクト比またはテレビ受信装置の種類を表す文字（例えば、アスペクト比４：３なら「１」、１６：９なら「２」）を入力するので（ステップＳ０）、制御部１７はリモコン信号受信部２５からの信号を調べ、アスペクト比４：３であることを意味する信号ならステップＳ２に進み、アスペクト比、１６：９であることを意味する信号ならステップＳ３に進む（ステップＳ１’）。以下、ステップＳ２以降の動作は図１２のフローチャートに示した動作と同様である。
【０１０８】
なお、上記図１２及び図１３のフローチャートでは画面のアスペクト比が４：３、若しくは１６：９の場合を例としたがアスペクト比はこれらに限定されない。また、テレビ受信装置の画面の表示モードを判別するための情報はアスペクト比に限定されず、例えば、テレビ受信装置の種類や型式、若しくは画面の縦横のサイズでもよい。
【０１０９】
また、図１２及び図１３のフローチャートでは外部画像表示装置としてテレビ受信装置を例としたが、テレビ受信装置に限定されるものではなく、例えばパソコンや専用の表示装置であってもよい。
【０１１０】
以上、本発明のいくつかの実施例について説明したが本発明は上記各実施例に限定されるものではなく、種々の変形実施が可能であることはいうまでもない。
【図面の簡単な説明】
【０１１１】
【図１】電子アルバムシステムの説明図である。
【図２】代表画像の一覧表示画面の説明図である。
【図３】電子アルバム装置の電子回路構成の一実施例を示す図である。
【図４】リモコン装置の一実施例の正面図である。
【図５】保存メモリに割り当てられた記憶領域の一実施例を示す図である。
【図６】代表画像抽出に用いる画像管理レコードの構成例を示す図である。
【図７】評価情報をパラメータとして数値化するための評価情報数値化テーブルの一実施例を示す図である。
【図８】タイム間隔情報をパラメータとして数値化するためのタイム間隔数値化テーブルの一実施例を示す図である。
【図９】記録画像の画像評価値を算出する際の各評価情報の評価値の一例を示す図である。
【図１０】アスペクト比４：３の画面に表示した代表画像の一覧表示例を示す図である。
【図１１】アスペクト比１６：９の画面に表示した代表画像の一覧表示例を示す図である。
【図１２】画像再生時の電子アルバム装置の動作概要を示すフローチャートである。
【図１３】画像再生時の電子アルバム装置の変形例の動作概要を示すフローチャートである。
【符号の説明】
【０１１２】
１  電子アルバム装置（画像表示制御装置）
２  リモコン装置（レベル指定手段）
１０  表示モード取得部（表示モード取得手段）
１６  保存メモリ
１７  制御部（画像評価値取得手段、画像データ抽出手段、画像データ取得手段、画像生成手段、表示制御手段）
２２  表示部
４０  一覧表示画面（表示画面）
６０  画像管理レコード（画像評価情報）
７０  評価情報数値化テーブル
８０  タイム間隔数値化テーブル
１００  デジタルカメラ（外部装置）
２００  テレビモニタ（外部装置）
【図１】
2006253984.tif 000003
【図２】
2006253984.tif 000004
【図３】
2006253984.tif 000005
【図４】
2006253984.tif 000006
【図５】
2006253984.tif 000007
【図６】
2006253984.tif 000008
【図７】
2006253984.tif 000009
【図８】
2006253984.tif 000010
【図９】
2006253984.tif 000011
【図１０】
2006253984.tif 000012
【図１１】
2006253984.tif 000013
【図１２】
2006253984.tif 000014
【図１３】
2006253984.tif 000015